(57)【要約】      （修正有）【課題】衛生的・安全・安心な使用を可能にする、ロール紙交換装置を提供する。【解決手段】装置本体１０と、給紙機構２０と、紙回収機構３０とからなる。装置本体の左右両側には収容スペース１１が設けられ、装置本体中央には押圧スイッチ１２が設けられる。給紙機構は給紙ローラー２１と誘導ローラー２２を有し、給紙ローラーには紙ナプキンロール２３が取付けられる。紙回収機構は駆動ローラーと紙回収ローラー３１を有し、駆動ローラーの軸心に沿って駆動器３２が設けられる。駆動器は装置本体の押圧スイッチと電気的に接続される。紙回収ローラーには回収ロール３３が嵌められる。駆動ローラーと紙回収ローラーには、それぞれ伝動部が設けられ、且つ伝動部には伝動部品が設けられる。以上の構造により、駆動器に連動して駆動ローラーが回転することで、使用済みの紙ナプキンが紙回収ローラー上に回収される。また給紙機構は、紙ナプキン回収動作の下で、清潔な紙ナプキンを装置本体の押圧スイッチ表面に敷く。【選択図】図２
0003206428.tif 000002
【実用新案登録請求の範囲】
【請求項１】
装置本体と、給紙機構と、紙回収機構とからなる、ロール紙交換装置であって、
前記装置本体の左右両側には、収容スペースが設けられ、前記装置本体中央には、押圧スイッチが設けられ、
前記給紙機構は、前記収容スペースのいずれか一つに設けられるとともに、給紙ローラーを有し、
前記給紙ローラーは、紙ナプキンを前記押圧スイッチ表面に敷くために、紙ナプキンロールが取付けられ、
前記紙回収機構は、前記給紙機構と相対するもう一つの収容スペース内に設けられるとともに、紙回収ローラーを有し、
前記紙回収ローラーは、駆動器と接続され、
前記駆動器は、前記装置本体の押圧スイッチと電気的に接続され、
前記紙回収ローラーには、回収ロールが嵌められ、
更に、
前記装置本体中央の押圧スイッチを押圧することにより、前記紙回収機構の駆動器に連動した前記紙回収ローラーが回転して、使用済みの紙ナプキンが前記紙回収ローラー上に回収され、
且つ、前記給紙機構は、前記紙回収機構の紙ナプキン回収動作を受けて、清潔な紙ナプキンを前記給紙ローラーから送り出すとともに紙ナプキンが前記装置本体の押圧スイッチ表面に敷かれるようにすることを特徴とする、ロール紙交換装置。
【請求項２】
更に、前記給紙機構には、誘導ローラーが設けられ、
前記誘導ローラーによって、紙ナプキンが前記誘導ローラー下方から貫設されるとともに前記押圧スイッチ表面に平らに敷かれることを特徴とする、請求項１に記載のロール紙交換装置。
【請求項３】
更に、前記収容スペースには、上蓋が設けられ、
前記上蓋は、埃や汚れが前記上蓋に沿って平面へと滑り落ちるように、弧状に湾曲した形状に設けられ、
これにより、前記給紙機構・紙回収機構の埃による汚染が防止されることを特徴とする、請求項１或は２のいずれか一つに記載のロール紙交換装置。
【考案の詳細な説明】
【技術分野】
【０００１】
本考案は、自動制御に関し、特に、使用者が診療或は測定（例えば、血圧測定・注射・採血等…）の時に、肘を清潔で衛生的な紙ナプキン上に置くことが出来るとともに、使用済みの紙ナプキンが自動で回収紙軸に回収されることにより、使用者の血圧測定・注射・採血等の診療や測定を、より衛生的・安全・安心に行うことが可能な、ロール紙交換装置に関する。
【背景技術】
【０００２】
従来の診療或は測定（例えば血圧測定・注射・採血）の方式は、大まかに以下の通りである。即ち、被測定者は、肘を置き台に置き、医療スタッフは、腕帯を被測定者の上腕に嵌めて血圧を測るか、或は針先で被測定者に対して注射や採血を行うか、或はその他の診療・測定の動作を行う。
【０００３】
しかし、上述した構造には、以下の欠点がある。
（１）従来の診療・測定方式は、いずれも被測定者の肘が置き台上に置かれる。しかし、各人の肘には汗・埃や汚れが付着している可能性があるため、長期的に見ると置き台が汚染されたり細菌が繁殖したりする場合があり、非常に不衛生である。加えて、前の使用者が皮膚炎・皮膚病・傷口を壊死させる細菌を持っていた場合、細菌が置き台上に残留し易く、次の使用者が間接接触による感染やアレルギーを引き起こすという問題を招く。
（２）注射方式を用いた場合、注射時には血液の滲出が免れず、或は採血時には血液が置き台上に付着する可能性があり、次の被測定者に恐怖心を抱かせてしまう。また血液が置き台上に付着すると、洗浄しにくいだけでなく、不衛生で間接接触による感染という問題を招く。
【考案の概要】
【考案が解決しようとする課題】
【０００４】
本考案は、給紙機構と、回収機構とからなるとともに、使用時において、使用者が肘を置くための清潔な紙ナプキンを提供し、且つ使用完了後には、使用済みの紙ナプキンを回収して、次の使用者が清潔な紙ナプキンを使用出来るようにすることで、衛生的・安全・安心な使用を可能にする、ロール紙交換装置を提供することを目的とする。
【課題を解決するための手段】
【０００５】
上述の目的を達成するため、本考案は主に、装置本体と、給紙機構と、紙回収機構とからなる。前記装置本体の左右両側には、収容スペースが設けられ、前記装置本体の中央には押圧スイッチが設けられる。前記給紙機構は、前記収容スペースのいずれか一つに設けられるとともに、給紙ローラーと誘導ローラーを有する。前記給紙ローラーには、紙ナプキンロールが取付けられる。前記誘導ローラーは、紙ナプキンを誘導ローラー下方から貫設させて押圧スイッチ表面に平らに敷かれるようにする。前記紙回収機構は、給紙機構と相対するもう一つの収容スペース内に設けられるとともに、紙回収ローラーを有する。前記紙回収ローラーには、駆動器が連設される。前記駆動器は、装置本体の押圧スイッチと電気的に接続される。また前記紙回収ローラーには、回収ロールが嵌められる。
【０００６】
本考案は、装置本体中央の押圧スイッチを押圧することにより、紙回収機構の駆動器に連動した紙回収ローラーが回転して、使用済みの紙ナプキンが紙回収ローラー上に回収される。また、給紙機構は、紙ナプキン回収動作の下で、清潔な紙ナプキンが装置本体の押圧スイッチ表面に敷かれるようにする。
【考案の効果】
【０００７】
以上の構造によってなる本考案は、以下にまとめた効果を有する。
（１）本考案は、全体の構造が簡単であり、清潔な紙ナプキンを使い終わった時、使用者は、簡単に新しい紙ナプキンロールを給紙ローラーに取付けて交換することが出来るとともに、紙ナプキンの他端を回収ロール上に設ければ、直ぐに使用可能となる。よって、取扱いが簡単であるという長所を備える。
（２）本考案の紙ナプキン回収という長所によって、次の使用者は安心して肘を装置本体上に置くことが出来る。また、肘を置くための装置本体の汚染によって間接接触感染が生じるという懸念が無くなる。
【図面の簡単な説明】
【０００８】
【図１】本考案の斜視図である。
【図２】本考案の使用状態図（一）である。
【図３】本考案の使用状態図（二）である。
【考案を実施するための形態】
【０００９】
図１・２・３を参照する。本考案のロール紙交換装置は主に、装置本体１０と、給紙機構２０と、紙回収機構３０とからなる。
【００１０】
装置本体１０の左右両側には、収容スペース１１が設けられる。装置本体１０中央には、押圧スイッチ１２が設けられる。
【００１１】
給紙機構２０は、収容スペース１１の一つに設けられるとともに、給紙ローラー２１と誘導ローラー２２を有する。給紙ローラー２１には、紙ナプキンロール２３が取付けられる。誘導ローラー２２は、紙ナプキン４を誘導ローラー２２下方から貫設させるとともに押圧スイッチ１２表面に平らに敷かれるようにする。
【００１２】
紙回収機構３０は、給紙機構２０と相対するもう一つの収容スペース１１内に設けられるとともに、紙回収ローラー３１を有する。紙回収ローラー３１は、駆動器３２と接続される。駆動器３２は、装置本体１０の押圧スイッチ１２と電気的に接続される。また紙回収ローラー３１には、回収ロール３３が嵌められる。
【００１３】
上述の構造に基づき、本考案の使用方法、及び効果について以下にまとめる。
（１）図１・２・３を参照する。本考案は、装置本体１０中央の押圧スイッチ１２を押圧することにより、紙回収機構３０の駆動器３２に連動した紙回収ローラー３１が回転して、使用済みの紙ナプキン４が紙回収ローラー３１上に回収される。また、給紙機構２０は、紙回収機構３０の紙ナプキン４回収動作を受けて、清潔な紙ナプキン４を給紙ローラー２１から誘導用ローラーへ送り出すとともに、誘導用ローラーを通して紙ナプキン４を整えて装置本体１０の押圧スイッチ１２表面に敷かれるようにする。
（２）また図１を参照する。二つの収容スペース１１には、上蓋１３が設けられる。上蓋１３は、弧状に湾曲した形状に設けられることで、埃や汚れが上蓋１３に沿って平面へと滑り落ちるようになり、これにより給紙機構２０・紙回収機構３０が埃で汚染されることが防止される。
【００１４】
上述を総じて言えば、本考案のロール紙交換装置は、装置本体１０の押圧スイッチ１２を押圧することで、紙回収機構３０が回動動作を行うとともに、給紙機構２０が清潔な紙ナプキン４を押圧スイッチ１２表面に敷く。これにより次の使用者は、安心して肘を装置本体１０に置くことが出来る。また、肘を置くための装置本体１０が汚染されて間接接触感染やアレルギー反応が生じるという懸念が無くなる。
【符号の説明】
【００１５】
（本考案）
１０    装置本体
１１    収容スペース
１２    押圧スイッチ
１３    上蓋
２０    給紙機構
２１    給紙ローラー
２２    誘導ローラー
２３    紙ナプキンロール
３０    紙回収機構
３１    紙回収ローラー
３２    駆動器
３３    回収ロール
４    紙ナプキン
【図１】
0003206428.tif 000003
【図２】
0003206428.tif 000004
【図３】
0003206428.tif 000005